(57)【要約】【課題】第１に、内部スペースが広く、第２に、不整地でも平面取りが容易であり、第３に、展開拡張状態において、拡大部の防水性や強度が向上し、第４に、展開する際、誤操作が防止され安全性が向上する、シェルタを提案する。【解決手段】このシェルタ６は、本体部７と、本体部７に展開拡張可能かつ折り畳み収納可能に設けられた拡大部８とからなり、本体部７の脚１９のうち少なくとも１本が、ジャッキ２０よりなる。又、展開拡張状態Ｄにおいて、拡大部天井板１０や拡大部床板１１と、拡大部端面板１２や拡大部側面板１３との間に、ロックハンドル，ファスナ，受けブロックが、介装される。更に、拡大部８側の床板ロック部材にセーフティーカバーを設けて、展開拡張状態Ｄの拡大部床板１１を吊り下げ保持するワイヤ先端のブラケットで制御し、ブラケットを拡大部床板１１に取り付けて初めて、拡大部床板１１のロック解除が可能となっている。【選択図】        図１
2004231195.tif 000002
【特許請求の範囲】
【請求項１】
機器，機材等を搭載し、トラックその他の輸送手段に積み込まれて移動可能な拡大式シェルタであって、
略箱状をなし少なくとも一方の側面に開口を備えた本体部と、該本体部開口に展開拡張可能かつ折り畳み収納可能に設けられた拡大部と、を有しており、
該拡大部は、該本体部開口の上端縁に基端が枢着された拡大部天井板と、該本体部開口の下端縁に基端が枢着された拡大部床板と、該本体部開口の両側縁に基端がそれぞれ枢着された前後の拡大部端面板と、両該拡大部端面板の先端に両端が枢着された拡大部側面板と、を備えており、両該拡大部端面板は、中央で縦に２分割されると共に枢着され、内側に折曲可能となっており、
該拡大部は、展開拡張状態では、該拡大部天井板，該拡大部床板，両該拡大部端面板，該拡大部側面板が、外方に展開されて略箱状をなし、又、折り畳み収納状態では、内側から、折曲された両該拡大部端面板，該拡大部側面板，該拡大部床板，該拡大部天井板の順に折り畳まれて、該本体部開口を閉鎖するようになっており、
該本体部は、４箇所に脚が付設されており、４本の該脚のうち少なくとも１本が、ジャッキよりなり、該ジャッキは、該本体部底面の平面取りに使用されること、を特徴とするシェルタ。
【請求項２】
請求項１に記載したシェルタにおいて、該拡大部天井板や該拡大部床板側と、該拡大部端面板や該拡大部側面板側との間に、それぞれ介装可能なロックハンドル，ファスナ，受けブロックを有しており、
該ロックハンドルは、該拡大部天井板や該拡大部床板側に固設されたロック受と、該拡大部端面板や該拡大部側面板側に設けられ、該拡大部の展開拡張状態において、該ロック受に対応位置すると共に、該ロック受に対しロック位置とロック解除位置とに回動変位可能なハンドルと、を備えており、該ロックハンドルは、該ハンドルのロック位置において、横方向の密閉，固定用に機能し、
該ファスナは、該拡大部天井板や該拡大部床板側に取付けられた係止受と、該拡大部端面板や該拡大部側面板側に設けられ、該拡大部の展開拡張状態において、該係止受に対応位置すると共に、該係止受に対し係止位置と係止解除位置とに上下変位可能な係止具と、を備えており、該ファスナは、該係止具の係止位置において、縦方向の密閉，固定用に機能し、
該受けブロックは、該拡大部天井板や該拡大部床板側に固設された当て板よりなり、該拡大部の展開拡張状態において、該拡大部端面板や該拡大部側面板の縁に対応位置すると共に、該縁に対し圧接可能となっており、該ファスナによる過度の密閉，固定を緩和すべく機能すること、を特徴とするシェルタ。
【請求項３】
請求項１に記載したシェルタにおいて、該本体部開口の側縁に固設されたロック受部と、
該拡大部床板に設けられ、該拡大部の折り畳み収納状態において、該ロック受部に対応位置すると共に、該ロック受部に対しロック位置とロック解除位置とに変位可能な床板ロック部材と、
該拡大部床板に設けられ、該床板ロック部材を操作不能に覆うカバー位置と、該床板ロック部材を操作可能に露出させるカバー解除位置とに、変位可能なセーフティーカバーと、
該拡大部の展開中および展開拡張状態において、少なくとも該本体部開口の側縁と該拡大部床板との間に介装，張架されるワイヤと、該ワイヤ先端に付設されたブラケットと、を有しており、
該ブラケットは、該拡大部の折り畳み収納状態において、展開準備のため該拡大部床板の所定箇所に取り付けられると、該セーフティーカバーを、それまでのカバー位置からカバー解除位置へと、変位せしめる位置関係に設定されていること、を特徴とするシェルタ。
【発明の詳細な説明】
【０００１】
【発明の属する技術分野】
本発明は、シェルタに関する。すなわち、機器，機材等を搭載すると共に、トラック等に積み込まれて移動可能な、拡大式シェルタに関するものである。
【０００２】
【従来の技術】
図７は、この種従来例のシェルタを示し、（１）図は斜視図、（２）図はトラックに積み込まれた状態の側面説明図である。
同図にも示したように、この種従来例の拡大式シェルタ１は、トラックＡ等に積み込み可能であり、略箱状をなす本体部２と、略箱状をなす拡大部３と、からなっていた。本体部２は、一方又は図示のように両方の側面に、開口４が形成されており、この開口４を介し、開口５が形成された一方又は図示のように両側の拡大部３が、側方向から入れ子式・引き出し式に、組み付けられていた。
そして拡大部３は、図中実線表示されたように、本体部２から引き出された拡大状態Ｂと、図中想像線表示されたように、本体部２に押し込まれた収納状態Ｃとに、拡大縮小可能となっていた。
【０００３】
又、図６に示したシェルタ６も、最近開発されていた。この図６の拡大式シェルタ６は、略箱状をなす本体部７と、複数枚の壁板を用いた拡大部８と、からなっていた。本体部７は、図示のように一方又は両方の側面に、本体部開口９が形成されており、拡大部８は、本体部開口９に枢着された拡大部天井板１０，拡大部床板１１，前後の拡大部端面板１２，拡大部端面板１２に両端が枢着された拡大部側面板１３、等よりなっていた。
そして拡大部８は、図６の（３）図に示したように、各壁板が外方に展開されて略箱状をなす展開拡張状態Ｄと、図６の（１）図に示したように、各板が折り畳まれて本体部開口９を閉鎖する折り畳み収納状態Ｅとに、拡大縮小可能となっていた。
【０００４】
【発明が解決しようとする課題】
《第１の問題点》
ところで、このような従来例にあっては、次の問題が指摘されていた。第１に、図７のこの種従来例の入れ子式・引き出し式のシェルタ１は、収納状態Ｃにおいて内部スペースが狭い、という問題が指摘されていた。
すなわち収納状態Ｃにおいて、一回り大きな本体部２内に一回り小さな拡大部３が、押し込み収納されており、もって両者の壁板が重なった２重構造となり、その分、内部スペースが狭くなっていた。この種のシェルタ１は、トラックＡ等に積み込まれる関係上、本体部２の大きさが寸法規制されており、収納状態Ｃでは、このように大きさが規制された本体部２内に、拡大部３が収納されるので、結果的に、内部スペースが狭くなっていた。
もってその分、内部に搭載される機器，機材，その他の大きさ，数量等が制約され、居住スペースも狭くなる、という問題が指摘されていた。
更に、積雪時において、拡大部３上に積もった雪で、拡大部３の拡大収納動作が困難化したり、降雨時において、拡大状態Ｂから収納状態Ｃへ縮小する際、拡大部３上に溜まった雨水で本体部２内が浸水しやすい、という問題も指摘されていた。
【０００５】
《第２の問題点》
第２に、図６の最近開発されたシェルタ６は、このような問題が解消されるものの、不整地における設置使用に、問題が指摘されていた。（なお、この第２の問題は、上述した図７のシェルタ１についても、同様に指摘されていた問題でもある。）
すなわち、地面Ｆに凹凸や傾斜が存して、４脚下の高さレベルが不揃いな不整地において、折り畳み収納状態Ｅのシェルタ６を、各コーナーに付設された４本の脚にて設置しようとすると、各脚の高さ位置が不揃いとなり、結局、シェルタ６は、１本の脚が着地せず、３本の脚にて３点支持された状態となる。つまりシェルタ１は、安定的に４点支持されず、平面取りがされていない状態となる。
【０００６】
前述したように、シェルタ６の本体部８は、完全な箱体ではなく、側面に本体部開口９が形成されているので、その分だけ剛性が低下している。
そこで、上述したように底面等について、面一に安定的に保持する平面取りがなされていないと、これに起因して、シェルタ６を構成する各壁板に歪みが生じて、各壁板間に、予定外の当たりやガタ等が発生する。もって、折り畳み収納状態Ｅから展開拡張状態Ｄへの展開動作や収納動作が、スムーズに行えず、困難化する事態も多々発生していた。
そこで、このシェルタ６については、不整地での設置使用に不安があり、その設置前に、設置場所の地面Ｆを整地して、４本の脚が接地できるように面一化する必要があった。この点は、例えば原野等で緊急使用されることが多い、このシェルタ６の用途に鑑み、大きな問題となっていた。
【０００７】
《第３の問題点》
第３に、更にこのシェルタ６については、拡大部８の展開拡張状態Ｄにおいて、充分な防水性や強度が得られない、という問題が指摘されていた。
すなわち展開拡張状態Ｄにおいて、拡大部天井板１０と拡大部端面板１２間、拡大部天井板１０と拡大部側面板１３間、拡大部床板１１と拡大部端面板１２間、拡大部床板１１と拡大部側面板１３間等については、対向する端縁が単に当接しているに過ぎず、それぞれ、縦方向や横方向の密閉度や固定度が不足していた。もって、拡大部８の防水性や強度面が不充分である、という問題が指摘されていた。
【０００８】
《第４の問題点》
第４に、又このシェルタ６にあっては、拡大部８を折り畳み収納状態Ｅから展開拡張状態Ｄに展開する際に、拡大部床板１１が、いきなり外方に展開してしまう誤操作事故が多々発生し、危険であるという問題が指摘されていた。
すなわち、拡大部床板１１は、本体部開口９の下端縁に基端が枢着されており、→折り畳み収納状態Ｅにおいて、拡大部床板１１は、本体部開口９側に折り畳まれて本体部開口９を閉鎖している。→そして拡大部床板１１は、本体部開口９の側縁にロックされている。
→そして展開に際しては、作業者はまず、本体部開口９付近と拡大部床板１１間に、ワイヤを掛け渡してから、→ロックを解除する。→そして作業者は、このような展開準備が完了した後、→拡大部床板１１を、本体部７側のブレーキ機構付のウインチから巻き戻されるワイヤにて、吊って保持しつつ、外下方へと降ろすように展開して行く。→拡大部床板１１は、このようなステップを辿ることにより、展開拡張状態Ｄに展開されることが、期待されている。
【０００９】
しかしながら作業者の誤操作により、このようなステップを辿ることなく、拡大部床板１１を外方へ展開してしまうことが多々あった。
すなわち作業者が、ワイヤを、拡大部床板１１に掛け渡さずに、→拡大部床板１１を、本体部７側からロック解除してしまい、→いきなり重量の重い拡大部床板１１が、外方に落下展開されてしまい、→もしも展開側に作業者等の人がいると、人身事故発生の危険がある等、安全面に問題が指摘されていた。
【００１０】
《本発明について》
本発明に係るシェルタは、このような実情に鑑み、上記従来例の課題を解決すべくなされたものである。
そして、本体部に拡大部を、展開拡張可能かつ折り畳み収納可能に設けると共に、４本の脚のうち少なくとも１本をジャッキとし、更に請求項２では、拡大部についてロックハンドル，ファスナ，受けブロックを採用し、請求項３では、拡大部のロックにセーフティカバーを設けて、ワイヤ先端のブラケットで制御するようにしたこと、を特徴とする。
もって本発明は、第１に、内部スペースが広く、第２に、不整地でも平面取りが容易であり、第３に、展開拡張状態において、拡大部の防水性や強度が向上し、第４に、展開する際の誤操作が防止され、安全性が向上する、シェルタを提案することを目的とする。
【００１１】
【課題を解決するための手段】
《請求項について》
このような課題を解決する本発明の技術的手段は、次のとおりである。まず、請求項１については、次のとおり。
請求項１のシェルタは、機器，機材等を搭載し、トラックその他の輸送手段に積み込まれて移動可能な、拡大式シェルタよりなる。そして、略箱状をなし、少なくとも一方の側面に開口を備えた本体部と、該本体部開口に、展開拡張可能かつ折り畳み収納可能に設けられた拡大部と、を有している。
該拡大部は、該本体部開口の上端縁に基端が枢着された拡大部天井板と、該本体部開口の下端縁に基端が枢着された拡大部床板と、該本体部開口の両側縁に基端がそれぞれ枢着された前後の拡大部端面板と、両該拡大部端面板の先端に両端が枢着された拡大部側面板と、を備えている。両該拡大部端面板は、中央で縦に２分割されると共に枢着され、内側に折曲可能となっている。
そして該拡大部は、展開拡張状態では、該拡大部天井板，該拡大部床板，両該拡大部端面板，該拡大部側面板が、外方に展開されて略箱状をなす。又、折り畳み収納状態では、内側から、折曲された両該拡大部端面板，該拡大部側面板，該拡大部床板，該拡大部天井板の順に折り畳まれて、該本体部開口を閉鎖する。
該本体部は、４箇所に脚が付設されており、４本の該脚のうち少なくとも１本が、ジャッキよりなり、該ジャッキは、該本体部底面の平面取りに使用されること、を特徴とする。
【００１２】
請求項２については、次のとおり。請求項２のシェルタは、請求項１において、該拡大部天井板や該拡大部床板側と、該拡大部端面板や該拡大部側面板側との間に、それぞれ介装可能なロックハンドル，ファスナ，受けブロックを有している。
そして該ロックハンドルは、該拡大部天井板や該拡大部床板側に固設されたロック受と、該拡大部端面板や該拡大部側面板側に設けられ、該拡大部の展開拡張状態において、該ロック受に対応位置すると共に、該ロック受に対しロック位置とロック解除位置とに回動変位可能なハンドルと、を備えている。もって該ロックハンドルは、該ハンドルのロック位置において、横方向の密閉，固定用として機能する。
該ファスナは、該拡大部天井板や該拡大部床板側に取付けられた係止受と、該拡大部端面板や該拡大部側面板側に設けられ、該拡大部の展開拡張状態において、該係止受に対応位置すると共に、該係止受に対し係止位置と係止解除位置とに上下変位可能な係止具と、を備えている。もって該ファスナは、該係止具の係止位置において、縦方向の密閉，固定用として機能する。
該受けブロックは、該拡大部天井板や該拡大部床板側に固設された当て板よりなり、該拡大部の展開拡張状態において、該拡大部端面板や該拡大部側面板の縁に対応位置すると共に、該縁に対し圧接可能となっている。もって該受けブロックは、該ファスナによる過度の密閉，固定を緩和すべく機能すること、を特徴とする。
【００１３】
請求項３については、次のとおり。請求項３のシェルタは、請求項１において、ロック受部，床板ロック部材，セーフティーカバー，ワイヤ，ブラケット等、を有している。
すなわち、該本体部開口の側縁に固設されたロック受部と、該拡大部床板に設けられ、該拡大部の折り畳み収納状態において、該ロック受部に対応位置すると共に、該ロック受部に対しロック位置とロック解除位置とに変位可能な床板ロック部材と、該拡大部床板に設けられ、該床板ロック部材を操作不能に覆うカバー位置と、該床板ロック部材を操作可能に露出させるカバー解除位置とに、変位可能なセーフティーカバーと、該拡大部の展開中および展開拡張状態において、少なくとも該本体部開口の側縁と該拡大部床板との間に介装，張架されるワイヤと、該ワイヤ先端に付設されたブラケットと、を有している。
そして該ブラケットは、該拡大部の折り畳み収納状態において、展開準備のため該拡大部床板の所定箇所に取り付けられると、該セーフティーカバーを、それまでのカバー位置からカバー解除位置へと、変位せしめる位置関係に設定されていること、を特徴とする。
【００１４】
《作用について》
本発明は、このようになっているので、次のようになる。
▲１▼このシェルタは、略箱状をなす本体部と、本体部開口に展開拡張可能かつ折り畳み収納可能に設けられた拡大部と、からなる。
拡大部は、展開拡張状態では、拡大部天井板，拡大部床板，拡大部端面板，拡大部側面板が、外方に展開されて略箱状をなす。折り畳み収納状態では、拡大部端面板，拡大部側面板，拡大部床板，拡大部天井板が、折り畳まれて本体部開口を閉鎖する。
【００１５】
▲２▼折り畳み収納状態において、拡大部は本体部開口を閉鎖するに留まり、本体部の内部スペースがそのまま確保されるので、機器，機材等の搭載スペースや居住スペースが、広く確保される。
▲３▼そしてシェルタは、折り畳み収納状態でトラック等に積み込まれて移動し、設置場所にて、多くの場合は展開拡張状態とされて、使用される。
▲４▼そして、このシェルタは、本体部の４本の脚のうち少なくとも１本が、ジャッキよりなるので、４脚下の高さレベルが不揃いな不整地にて設置する場合でも、ジャッキによって、容易に本体部を４点支持させ、平面取りさせることができる。
▲５▼このように本体部は、本体部開口が形成されているものの、平面取りされるので、歪み，当たり，ガタ等の発生が防止され、もって不整地に設置した場合でも、拡大部の展開や収納が支障なく行われる。
【００１６】
▲６▼次に、拡大部の展開は、次のように行われる。折り畳み収納状態において、拡大部床板は、本体部開口を閉鎖してロックされている。すなわち、本体部開口のロック受部に対し、拡大部床板側の床板ロック部材が、ロック位置を取っている。そして、この床板ロック部材を、セーフティーカバーがカバー位置を取り、操作不能に覆っている。
そして展開準備のため、本体部側のワイヤ先端のブラケットを、拡大部床板に取り付けると、セーフティーカバーがカバー解除位置へと変位し、もって床板ロック部材が、操作可能に露出する。そこで、床板ロック部材をロック解除位置へと変位操作することにより、拡大部床板のロックが解除される。
それから拡大部床板は、ワイヤにて保持されつつ展開される。なお、拡大部天井板は予め展開されており、拡大部端面板と拡大部側面板は、事後展開される。
▲７▼このように、床板ロック部材にセーフティーカバーを設けて、ワイヤ先端のブラケットで制御することにより、ブラケットを拡大部床板に取り付けて初めて、拡大部床板のロックが解除可能となる。
そこで展開に際し、誤操作により、ワイヤを取り付けないまま拡大部床板のロックを解除し、拡大部床板がいきなり展開，落下する事故は、防止される。
【００１７】
▲８▼次にこのシェルタでは、展開拡張状態において、拡大部天井板や拡大部床板と、拡大部端面板や拡大部側面板との間に、ロックハンドル，ファスナ，受けブロックが、それぞれ介装される。
ロックハンドルは、ロック受にハンドルが対応位置して、ロック位置に回動変位されることにより、拡大部天井板や拡大部床板と拡大部端面板や拡大部側面板間が、横方向について密閉，固定される。
ファスナは、係止受に係止具が対応位置して、係止位置に上下変位されることにより、拡大部天井板や拡大部床板と拡大部端面板や拡大部側面板間が、縦方向について密閉，固定される。
受けブロックは、拡大部天井板や拡大部床板側に固設されており、拡大部端面板や拡大部側面板に対応位置して圧接することにより、ファスナによる縦方向の密閉，固定度が調整される。
▲９▼このように展開拡張状態において、拡大部天井板や拡大部床板と拡大部端面板や拡大部側面板間が、密閉，固定され、もって拡大部の密閉度や固定度が向上する。
【００１８】
【発明の実施の形態】
《図面について》
以下、本発明のシェルタを、図面に示す発明の実施の形態に基づいて、詳細に説明する。図１，図２，図３，図４，図５，図６等は、本発明の実施の形態の説明に供する。
そして図１は、その１例の斜視図であり、（１）図は、折り畳み収納状態を、（２）図は、展開拡張状態を示す。図２は、ロックハンドル，ファスナ，受けブロック等を設けた例を示し、（１）図は、展開拡張状態の斜視図、（２）図は、密閉，固定前の要部正面図、（３）図は、密閉，固定後の要部正面図である。
図３は、ワイヤ等の説明に供する斜視図であり、（１）図は、折り畳み収納状態、（２）図は、展開拡張状態を示す。図４は、セーフティーカバー等を設けた例の要部正面図であり、（１）図は、セーフティーカバーのカバー位置、（２）図も、同カバー位置、（３）図は、カバー解除位置を示し、（４）図は、ロック部材のロック位置、（５）図は、ロック解除位置を示す。
図５は、展開拡張状態の斜視図であり、（１）図は、本体部開口部と拡大部天井板間のヒンジの１例を示し、（２）図は、他の例を示す。図６は、シェルタの斜視図であり、（１）図は、折り畳み収納状態を、（２）図は、展開途中又は収納途中の状態を、（３）図は、展開拡張状態を示す。
【００１９】
《シェルタ６の概要について》
まず、図６を参照しつつ、本発明のシェルタ６の概要について説明する。このシェルタ６は、機器，機材等を搭載し、トラックＡ（図７の（２）図を参照）その他の輸送手段に積み込まれて、移動可能となっている。
すなわち、このシェルタ６は、内部にレーダー装置，無線通信装置，その他の機器，機材や、それらの収納棚，テーブル等を搭載すると共に、居住空間として使用される。そして、トラックＡ等の自動車の荷台や鉄道車輌の荷台、その他の輸送手段に積み込まれて移動され、目的地の設置場所に設置使用される。又、このような移動性と共に、密封性，防水性，気密性，断熱性等にも、優れた構造よりなる。
そしてシェルタ６は、略箱状をなし少なくとも一方の側面に本体部開口９を備えた本体部７と、本体部開口９に展開拡張可能かつ折り畳み収納可能に設けられた拡大部８と、を有した拡大式よりなる。
図示例では、本体部７の左右両側のうち一方側の側面にのみ、本体部開口９が形成され、この本体部開口９に拡大部８が組み付けられた片側拡大方式よりなるが、これによらず、本体部７の左右両側面に、本体部開口９が形成されると共に、両本体部開口９にそれぞれ拡大部８が組み付けられた両側拡大方式のものも可能である。
シェルタ６は、概略このようになっている。
【００２０】
《本体部７について》
次に、図１，図６を参照しつつ、本体部７について説明する。シェルタ６の本体部７は、本体部天井板１４，本体部床板１５，両本体部前後板１６，本体部側面板１７等を備えた略箱状をなし、図示例では、本体部側面板１７の対向面に本体部開口９が形成されている。
そして本体部７は、例えばトラックＡの荷台への積み込みに必要十分な寸法に、設定されている。本体部前後板１６の一方には、扉１８が付設されている。又、本体部７には、４箇所に脚１９が付設されており、４本の脚１９のうち少なくとも１本が、ジャッキ２０よりなり、このジャッキ２０は、本体部７底面の平面取りに使用される。
すなわち、本体部７の４隅外側には、それぞれ脚１９が付設されており、図示例では、その４本すべてがジャッキ２０よりなっているが、平面取り用の用途に鑑み、最低１本がジャッキ２０よりなっていれば良く、他は固定脚を用いたタイプも可能である。又、このようなジャッキ２０を含む脚１９は、本体部７の平面取り用として機能し、水準取り用として機能する必要はない。
本体部７は、このようになっている。
【００２１】
《拡大部８について》
次に、図１，図６を参照しつつ、拡大部８について説明する。拡大部８は、本体部開口９の上端縁に基端が枢着された拡大部天井板１０と、本体部開口９の下端縁に基端が枢着された拡大部床板１１と、本体部開口９の両側縁に基端が枢着された前後の拡大部端面板１２と、両拡大部端面板１２の先端に両端が枢着された拡大部側面板１３と、を備えている。
両拡大部端面板１２は、それぞれ、中央で縦に２分割されると共に枢着されており、内側に折曲可能となっている。
【００２２】
このような拡大部８について、更に詳述する。拡大部天井板１０は、基端が本体部開口９の上端縁に、ヒンジ２１（図５の（１）図を参照）にて、横軸で上下に回動可能に枢着されており、先端側は自由端となっている。
拡大部床板１１は、基端が本体部開口９の下端縁に、ヒンジ（図示せず）にて、横軸で上下に回動可能に枢着されており、先端側は自由端となっている。
拡大部端面板１２は、基端が本体部開口９の前後の両側縁に、ヒンジ（図示せず）にて、それぞれ縦軸で前後に回動可能に枢着されている。そして、この前後の両拡大部端面板１２は、それぞれ、中央で縦に２分割されると共に、ヒンジ（図示せず）にて、相互間が縦軸で前後に回動可能に枢着され、もって内側に折曲可能となっている。
拡大部側面板１３は、前後の両端が両拡大部端面板１２の先端に、ヒンジ（図示せず）にて、縦軸で枢着されており、両拡大部端面板１２の折曲度に応じ、左右方向に移動可能となっている。
そして拡大部８は、展開拡張状態Ｄ（図１の（２）図，図６の（３）図を参照）では、拡大部天井板１０，拡大部床板１１，拡大部端面板１２，拡大部側面板１３が、外方に展開されて略箱状をなす。
又、折り畳み収納状態Ｅ（図１の（１）図，図６の（１）図を参照）では、内側から、折曲された両拡大部端面板１２，拡大部側面板１３，拡大部床板１１，拡大部天井板１０の順に折り畳まれて、本体部開口９を閉鎖する。
【００２３】
これらについて、更に詳述する。展開拡張状態Ｄでは、拡大部天井板１０が、水平姿勢まで外方の上側に回動展開される。拡大部床板１１は、水平姿勢まで外方の下側に回動展開される。
両拡大部端面板１２は、本体部前後板１６と面一をなすと共に、自体の折曲も解除されて面一をなすまで、外方の前後に回動展開される。拡大部側面板１３は、左右方向に引き出されて、両拡大部端面板１２を上述したように位置取りさせる。
もって、このような展開拡張状態Ｄにおいて、拡大部８は箱状をなし、本体部開口９を介し本体部７内と連通される内部空間が形成される。なお、図１の（２）図中２２は、拡大部８の前後に付設されたジャッキである。そして、この２本のジャッキ２２は、展開拡張状態Ｄの拡大部８について、その荷重保持や転倒防止用として機能する。
【００２４】
これに対し、折り畳み収納状態Ｅでは、両拡大部端面板１２が、内側に回動されると共に、２分割されたものが重なり合うまで折曲される。拡大部側面板１３は、押し込まれて、両拡大部端面板１２を上述したように位置取りさせる。拡大部床板１１は、内方の上側に垂直姿勢まで回動収納される。拡大部天井板１０は、内方の下側に垂直姿勢まで回動収納される。
もって、このような折り畳み収納状態Ｅにおいて、拡大部８は、垂直姿勢で折り畳まれて重なり合った略厚板状をなし、本体部開口９を閉鎖する側壁として機能する。
拡大部８は、このようになっている。
【００２５】
《ロックハンドル２３，ファスナ２４，受けブロック２５について》
次に、図２を参照しつつ、ロックハンドル２３，ファスナ２４，受けブロック２５について説明する。
このシェルタ６は、拡大部８について、拡大部天井板１０や拡大部床板１１側と、拡大部端面板１２や拡大部側面板１３側との間に、それぞれ介装可能なロックハンドル２３，ファスナ２４，受けブロック２５を有している。
すなわち、図２の（１）図中に丸印にて示した各箇所、つまり、拡大部天井板１０と拡大部端面板１２間、拡大部天井板１０と拡大部側面板１３間、拡大部床板１１と拡大部端面板１２間、拡大部床板１１と拡大部側面板１３間には、それぞれ、１組のロックハンドル２３，ファスナ２４，受けブロック２５が、横並びで介装可能となっている。
【００２６】
まずロックハンドル２３は、それぞれ、ロック受２６とハンドル２７とを、備えている。そしてロック受２６は、拡大部天井板１０や拡大部床板１１側の前後端縁や先端縁に固設されており、下側が開放された嵌入，係止溝が形成されている。
ハンドル２７は、両拡大部端面板１２や拡大部側面板１３側の前後端縁や上下端縁に設けられており、拡大部８の展開拡張状態Ｄにおいて、ロック受２６に対し対応位置すると共に、ロック受２６に対し、ロック位置Ｇ（図２の（３）図を参照）とロック解除位置Ｈ（図２の（２）図参照）とに、回動変位操作となっている。図示例のハンドル２７は、ピン２８にて垂直面で左右に回動可能に枢着されており、縦姿勢でロック位置Ｇを取り、横姿勢でロック解除位置Ｈを取る。
そして展開拡張状態Ｄにおいて、ハンドル２７がロック位置Ｇとされたロックハンドル２３は、拡大部８の横方向、つまり図面では紙面方向である前後方向や左右方向の密閉，固定用として機能する。勿論、拡大部８が折り畳み収納状態Ｅの場合、対応するロックハンドル２３のロック受２６とハンドル２７とは、離れた位置関係にある。
【００２７】
次にファスナ２４は、係止受２９と係止具３０とを、備えている。そして係止受２９は、拡大部天井板１０や拡大部床板１１側の前後端縁や先端縁に取り付けられており、フック状にわん曲した係止片が突設されている。なお係止受２９は、固設又は上下倒立変位可能に取り付けられている。
係止具３０は、両拡大部端面板１２や拡大部側面板１３側の前後端縁や上下端縁に設けられており、拡大部８の展開拡張状態Ｄにおいて、係止受２９に対し対応位置すると共に、係止受２９に対し、係止位置Ｊ（図２の（３）図を参照）と係止解除位置Ｋ（図２の（２）図を参照）とに、上下変位操作可能となっている。図示例の係止具３０は、横軸のピン３１にて垂直面で前後に回動可能に枢着されている。
そして展開拡張状態Ｄにおいて、係止具３０が係止位置Ｊとされたファスナ２４は、拡大部８の縦方向、つまり上下方向の密閉，固定用として機能する。勿論、拡大部８が折り畳み収納状態Ｅの場合、対応するファスナ２４の係止受２９と係止具３０とは、離れた位置関係にある。
【００２８】
次に受けブロック２５は、拡大部天井板１０や拡大部床板１１側の前後端縁や先端縁に固設された、当て板よりなる。そして、拡大部８の展開拡張状態Ｄにおいて、拡大部端面板１２や拡大部側面板１３の前後端縁や上下端縁に対し対応位置する（図２の（２）図を参照）と共に、この前後端縁や上下端縁に対し圧接可能（図２の（３）図を参照）となっている。
そして展開拡張状態Ｄにおいて、このように圧接された受けブロック２５は、上述したファスナ２４による縦方向の密接，固定の緩和用として機能する。
ロックハンドル２３，ファスナ２４，受けブロック２５は、このようになっている。
【００２９】
《セーフティーカバー３２等について》
次に、図３，図４を参照しつつ、セーフティーカバー３２，その他について説明する。
まず、本体部７にはロック受部３３が設けられ、対応して拡大部８には床板ロック部材３４が設けられており、カンヌキを形成している。
すなわちロック受部３３は、本体部開口９の側縁、つまり本体部前後板１６の少なくとも一方の前端縁の上部に固定されており、係止穴を備えている。
床板ロック部材３４は、拡大部床板１１の少なくとも一方の前後端縁の上部に設けられており、拡大部８の折り畳み収納状態Ｅにおいて、ロック受部３３の係止穴に対し対応位置すると共に、ロック受部３３の係止穴に対し、ロック位置Ｌ（図４の（４）図を参照）とロック解除位置Ｍ（図４の（５）図を参照）とに、変位操作可能となっている。図示例の床板ロック部材３４は、横に進退移動可能かつ移動限にて位置決め可能な横ピンを備えている。
もって、折り畳み収納状態Ｅにおいて、ロック受部３３の係止穴に対し、対応位置する床板ロック部材３４の横ピンを、前進移動操作することによりロック位置Ｌとすると、拡大部床板１１そしてその内側に折り畳まれた拡大部端面板１２や拡大部側面板１３は、展開不能に本体部７側にロックされる。
床板ロック部材３４の横ピンを、後退移動操作してロック解除位置Ｍとすると、拡大部床板１１等のロックは解除される。なお図中３５は、床板ロック部材３４の横ピンの移動操作用のツマミである。
【００３０】
さて、このような床板ロック部材３４には、セーフティーカバー３２が付設されている。
すなわち、セーフティーカバー３２は、拡大部床板１１の一方の前後端縁の上部に設けられており、床板ロック部材３４を操作不能に隠すように覆うカバー位置Ｎ（図４の（１）図，（２）図を参照）と、床板ロック部材３４を操作可能に露出させるカバー解除位置Ｐ（図４の（３）図を参照）とに、変位可能となっている。
図示例のセーフティーカバー３２は、略Ｌ字状の板材よりなり、中央部がピン３６にて、拡大部床板１１面に沿って回動可能に枢着されている。そしてセーフティーカバー３２は、拡大部８が折り畳み収納状態Ｅの場合、カバー位置Ｎに位置決めされており、展開拡張状態Ｄ等では、後述によりカバー解除位置Ｐとされる。
【００３１】
又、本体部７には、拡大部８の吊り下げ保持用のワイヤ３７が、配設されている。そしてワイヤ３７は、拡大部８の展開中および展開拡張状態Ｄにおいては、本体部開口９の側縁と拡大部床板１１との間に介装，張架され（図３の（２）図を参照）、先端に、付設されたブラケット３８を有している。
すなわち、本体部７の一方の本体部前後板１６、つまり扉１８が設けられていない方の本体部前後板１６には、ブレーキ機構付のウインチ３９が外設されており、このウインチ３９に、ワイヤ３７の基端側が巻回されている。ワイヤ３７は、ウインチ３９のブレーキ機構により、徐々にウインチ３９から巻き戻されて繰り出されるようになっている。
ワイヤ３７先端のブラケット３８は、拡大部８が折り畳み収納状態Ｅの場合は、本体部前後板１６外面の適宜箇所に掛け止めされている（図３の（１）図を参照）。
そして、拡大部８が展開準備中，展開中，展開拡張状態Ｄの場合、ワイヤ３７先端のブラケット３８は、拡大部８の拡大部床板１１の前後端縁の中央部の所定箇所に、係止，取り付けされる（図３の（２）図を参照）。この場合ワイヤ３７は、本体部開口９の側縁つまり本体部前後板１６の上部に配設された滑車等を介し、拡大部床板１１と本体部７との間に介装，張架され、拡大部床板１１を吊り下げ，保持可能となる。
【００３２】
そしてブラケット３８は、拡大部８の折り畳み収納状態Ｅにおいて、展開準備のため、拡大部床板１１の所定箇所に取り付けられると、セーフティーカバー３２を、それまでのカバー位置Ｎからカバー解除位置Ｐへと変位せしめる位置関係に、設定されている（図４の（３）図を参照）。
すなわち、拡大部床板１１の一方の前後端縁の中央部の所定箇所には、受け金具４０が固設されており、この受け金具４０には係止溝４１が形成されている。
そして、ワイヤ３７のブラケット３８を、展開準備のため、この受け金具４０の係止溝４１に差し込み，係入（図４の（２）図を参照）して、横にスライドさせると、ブラケット３８先端が、折り畳み収納状態Ｅではカバー位置Ｎにあったセーフティーカバー３２の端部を、カバー解除位置Ｐへと押動する位置関係に設定されている（図４の（３）図を参照）。
つまり、ブラケット３８が受け金具４０に係入，スライド，位置決めされると、セーフティーカバー３２は、カバー位置Ｎからカバー解除位置Ｐへと回動変位し、カバー解除位置Ｐを取る関係となっている。
セーフティーカバー３２等は、このようになっている。
【００３３】
《作用等について》
本発明は、以上説明したように構成されている。そこで、以下のようになる。
▲１▼このシェルタ６は、略箱状をなし側面に開口を備えた本体部７と、本体部開口９に展開拡張可能かつ折り畳み収納可能に設けられた拡大部８と、からなる。
拡大部８は、拡大部天井板１０，拡大部床板１１，前後の拡大部端面板１２の端が、それぞれ本体部開口９の縁に枢着されており、拡大部側面板１３の両端が、両拡大部端面板１２の先端に枢着されている。拡大部端面板１２は、それぞれ縦に２分割され、内側に折曲可能に枢着されている。
そして拡大部８は、展開拡張状態Ｄ（図６の（３）図等を参照）では、拡大部天井板１０，拡大部床板１１，拡大部端面板１２，拡大部側面板１３が、本体部開口９から外方に展開されて、略箱状をなす。折り畳み収納状態Ｅ（図６の（１）図等を参照）では、折曲された両拡大部端面板１２，拡大部側面板１３，拡大部床板１１，拡大部天井板１０が、内側から順に折り畳まれて、本体部開口９を閉鎖する。
【００３４】
▲２▼このシェルタ６では、このように折り畳み収納状態Ｅにおいて、拡大部８の各壁板１０，１１，１２，１３が、折り畳まれて本体部開口９を閉鎖するに留まり、本体部７の内部スペースは、ほぼそのまま確保される。折り畳み収納状態Ｅにおいて、拡大部８が、本体部７の内部スペースを狭めるようなことは無く、その分、機器，機材，その他の搭載スペースや居住スペースが、広く確保される。
▲３▼そしてシェルタ６は、機器，機材等を搭載し、拡大部８が折り畳み収納状態Ｅで、トラックＡ（図７の（２）図を参照）その他の輸送手段に積み込まれて移動し、設置場所においては多くの場合、拡大部８が展開拡張状態Ｄとされて使用される。
【００３５】
▲４▼そして設置に際し、このシェルタ６は、本体部７の４本の脚１９のうち少なくとも１本が、ジャッキ２０よりなるので、設置場所が不整地でも、平面取りが容易である（図１の（１）図，（２）図を参照）。
すなわち、地面Ｆに凹凸や傾斜が存し、もって４脚１９下の高さレベルが不揃いな不整地において、シェルタ６を設置する場合、作業員は、最低１本のジャッキ２０を上下伸縮動作させることによって、容易に本体部７を４点支持させることができ、シェルタ６の本体部７底面を、安定的に平面取りされた状態とすることができる。
▲５▼シェルタ６の本体部７は、側面に本体部開口９が形成されており、完全な箱体に比べ剛性が劣っているものの、上述したように平面取りされるので、その各壁板１４，１５，１６，１７に、歪みが生じることは回避される。もって、各壁板１４，１５，１６，１７間に、予定外の当たりやガタが発生することも防止される。
そこで、このシェルタ６は、不整地に設置した場合でも、拡大部８の展開拡張状態Ｄと折り畳み収納状態Ｅ間の展開や収納が、支障なくスムーズに行われるようになる。
【００３６】
▲６▼次に、このシェルタ６において、拡大部８の折り畳み収納状態Ｅから展開拡張状態Ｄへの展開は、次のように行われる。
まず、拡大部８の折り畳み収納状態Ｅにおいて、拡大部床板１１は、本体部開口９側に折り畳まれており、本体部開口９を閉鎖すると共に、本体部開口９にロックされている（図３の（１）図を参照）。→すなわち、本体部開口９の側縁のロック受部３３に、拡大部床板１１側の床板ロック部材３４が対応位置して、ロック位置Ｌを取っている（図４の（４）図を参照）。→そして、この床板ロック部材３４を、拡大部床板１１に設けられカバー位置Ｎを取るセーフティーカバー３２が、外部からは操作不能に覆っている（図４の（１）図参照）。
【００３７】
→そして、拡大部８の展開準備のため、作業者が、基端が本体部７側のウインチ３９に取り付けられたワイヤ３７先端のブラケット３８を、拡大部床板１１の所定箇所の受け金具４０に取り付けると（図４の（２）図を参照）、→セーフティーカバー３２が自動的に、それまでのカバー位置Ｎから、カバー解除位置Ｐへと変位するので、→床板ロック部材３４が、操作可能に露出する（図４の（３）図を参照）。→そこで作業者が、床板ロック部材３４を、それまでのロック位置Ｌからロック解除位置Ｍへと変位操作することにより（図４の（５）図を参照）、→拡大部床板１１は、本体部開口９へのロックが解除される。
→このような展開準備が完了した後、→拡大部床板１１は、本体部開口９の側縁との間に掛け渡され，介装，張架されたワイヤ３７にて、吊られて保持されつつ、作業者により、外下方へと降ろすように徐々に展開されて行く。
→このような作業ステップを辿ることにより、拡大部床板１１が展開される。なお、拡大部天井板１０は、予め上方に展開されており、拡大部端面板１２と拡大部側面板１３は、事後側方に展開される。→もって拡大部８が、展開拡張状態Ｄとされる（図３の（２）図を参照）。
【００３８】
▲７▼このように、このシェルタ６では、床板ロック部材３４にセーフティーカバー３２を付設すると共に、セーフティーカバー３２の変位を、展開拡張状態Ｄの拡大部８保持用のワイヤ３７先端のブラケット３８で、制御するシステムが採用されている。
つまり、ワイヤ３７先端のブラケット３８を、拡大部床板１１に取り付けて初めて、→拡大部床板１１のロックが、解除可能となる。
そこで、拡大部８の折り畳み収納状態Ｅから展開拡張状態Ｄへの展開に際し、→作業者の誤操作により、ワイヤ３７（先端のブラケット３８）を拡大部床板１１に取り付けないまま、→拡大部床板１１のロックを解除してしまう事態は、発生しなくなる。→もって、重量の重い拡大部床板１１が、ワイヤ３７にて保持されない状態で、いきなり外方に展開され落下降下する事故は、確実に防止されるようになる。
【００３９】
▲８▼次に、このシェルタ６では、拡大部８の展開拡張状態Ｄにおいて、拡大部天井板１０や拡大部床板１１と、拡大部端面板１２や拡大部側面板１３との間に、ロックハンドル２３，ファスナ２４，受けブロック２５が、それぞれ介装される（図２を参照）。
まずロックハンドル２３については、展開拡張状態Ｄにおいて、拡大部天井板１０や拡大部床板１１側のロック受２６に、拡大部端面板１２や拡大部側面板１３側のハンドル２７が、対応位置すると共に、作業員によりロック解除位置Ｈからロック位置Ｇに回動変位される。
このようなロックハンドル２３により、拡大部天井板１０や拡大部床板１１と、拡大部端面板１２や拡大部側面板１３間が、横方向について密閉，固定される（図２の（３）図を参照）。
【００４０】
又、ファスナ２４については、展開拡張状態Ｄにおいて、拡大部天井板１０や拡大部床板１１側の係止受２９に、拡大部端面板１２や拡大部側面板１３側の係止具３０が、対応位置し、作業員により係止解除位置Ｋから係止位置Ｊに上下変位される。
このようなファスナ２４により、拡大部天井板１０や拡大部床板１１と、拡大部端面板１２や拡大部側面板１３間が、縦方向について密閉，固定される（図２の（３）図を参照）。
そして受けブロック２５は、拡大部天井板１０や拡大部床板１１側に、当て板として固設されており、展開拡張状態Ｄにおいて、拡大部端面板１２や拡大部側面板１３の縁に、対応位置して圧接する（図２の（３）図を参照）。
このような受けブロック２５により、拡大部天井板１０や拡大部床板１１と、拡大部端面板１２や拡大部側面板１３間が、上述したファスナ２４にて直接的に過度に密閉，固定されて、損傷しないよう、縦方向の密閉，固定度が、適切に緩和，調整される。
例えば、拡大部天井板１０や拡大部床板１１と、拡大部端面板１２や拡大部側面１３板間には、その一方側にウエザーストリップが介装されているが（図示せず）、過度の締め付けにより、潰れ，損傷，破壊することが防止される。
【００４１】
▲９▼このように、ロックハンドル２３，ファスナ２４，受けブロック２５により、拡大部８の展開拡張状態Ｄにおいて、拡大部天井板１０や拡大部床板１１と、拡大部端面板１２や拡大部側面板１３間が、縦方向および横方向について、適度に密閉，固定される。
もって、このシェルタ６は、展開拡張状態Ｄの拡大部８について、密閉度や固定度が向上し、防水性や強度面に優れている。
【００４２】
《その他》
なお第１に、図４の（２）図，（３）図に示したように、ワイヤ３７先端のブラケット３８の先端部には、ストッパ溝４２が設けられている。
そして、拡大部８の展開準備のため、拡大部床板１１の受け金具４０の係止溝４１に、ワイヤ３７のブラケット３８が係入，スライドされ、→もってブラケット３８先端が、セーフティーカバー３２端部を、カバー位置Ｎからカバー解除位置Ｐへと押動すると、→同時に、セーフティーカバー３２端部が、ブラケット３８先端部のストッパ溝４２に、嵌入，係止される位置関係に設定されている。
→もって、事後の拡大部８の展開拡張状態Ｄにおいて、ブラケット３８そしてワイヤ３７は、拡大部床板１１から抜き出し不能に係止，ロックされるようになっている。
このように展開拡張状態Ｄでは、セーフティーカバー３２を利用して、拡大部床板１１を吊り下げ，保持するワイヤ３７のロックが実現されており、不用意にワイヤ３７が外れる事故は防止される。なお事後、ワイヤ３７のこのようなロックを解除するには、セーフティーカバー３２をカバー解除位置Ｐからカバー位置Ｎへと、変位操作することが必要となる。
【００４３】
第２に、拡大部天井板１０を本体部開口９の上端縁に枢着するヒンジ２１については、次のとおり。
図５の（１）図に示したように、通常は両者間に、複数のヒンジ２１が介装，取り付けされている。しかし、このように複数のヒンジ２１を使用した場合には、各ヒンジ２１間について歪みが生じ，軸が狂い，ガタつくことが多々あり、もって、拡大部天井板１０の開閉つまり展開動作や収納動作に支障が生じたり、雨水が内部に浸入することがあった。
これに対し、図５の（２）図に示したように、前後の全長にわたり１本の長ピンを用いた１個の長ヒンジ２１′を用いると、このような難点は解消される。
すなわち、１個の長ヒンジ２１′を、拡大部天井板１０と本体部開口９の上端縁間に介装，取り付けすることにより、歪，狂い，ガタつき等が解消され、もって、拡大部天井板１０のスムーズな開閉が実現されると共に、防水性も向上するようになる。
【００４４】
第３に、そして上述した所は、他の枢着箇所についても、全く同様である。すなわち、拡大部天井板１０と本体部開口９間の枢着用のヒンジ２１，長ヒンジ２１′についてだけでなく、更に、拡大部床板１１と本体部開口９間、両拡大部端面板１２と本体部開口９間、両拡大部端面板１２と拡大部側面板１３間、両拡大部端面板１２の分割箇所間等についても、同様である。
つまり、これらの各枢着箇所にも、長ヒンジ２１′を使用すると、歪，狂い，ガタ等が解消されて、スムーズな開閉や防水性が実現される。
【００４５】
【発明の効果】
《本発明の特徴》
本発明に係るシェルタは、以上説明したように、本体部に拡大部を、展開拡張可能かつ折り畳み収納可能に設けると共に、４本の脚のうち少なくとも１本をジャッキとし、更に請求項２では、拡大部についてロックハンドル，ファスナ，受けブロックを採用し、請求項３では、拡大部のロックにセーフティーカバーを設けて、ワイヤ先端のブラケットで制御するようにしたこと、を特徴とする。
そこで、本発明のシェルタは、次の効果を発揮する。
【００４６】
《第１の効果》
第１に、内部スペースが広くなる。すなわち、本発明のシェルタは、拡大部を本体部側面の本体部開口に、展開拡張可能かつ折り畳み収納可能に設けてなる。
そこで、前述したこの種従来例、つまり拡大部を本体部に入れ子式・引き出し式に拡大可能かつ収納可能とした従来例のように、収納状態において、本体部内に拡大部が収納されて、壁板が２重構造となり、その分、内部スペースが狭くなるようなことはない。拡大部の折り畳み収納状態でも、ほぼ本体部分の内部スペースが確保される。
もって、内部に搭載される機器，機材，その他の大きさ，数量が増加し、居住スペースが広く取れるようになる。
更に、積雪時の展開拡張や折り畳み収納も、前述したこの種従来例のように、拡大部上に積もった雪が支障となることなく、スムーズに行え、又、降雨時に折り畳み収納しても、拡大部上に溜まっていた雨水が、本体部内に浸入するようなこともない。
【００４７】
《第２の効果》
第２に、不整地でも、平面取りが容易である。すなわち、本発明のシェルタは、本体部の４本の脚のうち、少なくとも１本がジャッキよりなる。
そこで、４脚下の高さレベルが不揃いな不整地に設置する場合は、ジャッキを伸縮させることによって、本体部底面を４点支持させて、平面取りすることができる。前述したこの種従来例のように、３点支持となり平面取りがなされていない状態となることは、回避される。
もって、歪，狂い，ガタ等の発生がなく、拡大部の展開動作や折り畳み収納動作も、支障なくスムーズに行えるようになる。従って、このシェルタは、設置前に設置場所を整地化する必要がなく、設置場所が不整地でも、そのまま設置することができる。
【００４８】
《第３の効果》
第３に、展開拡張状態において、拡大部の防水性や強度が向上する。すなわち、本発明の請求項２にあっては、展開拡張状態において、拡大部天井板や拡大部床板側と、拡大部端面板や拡大部側面板との間に、ロックハンドル，ファスナ，受けブロックが、介装される。
そこで、前述したこの種従来例に比し、拡大部の防水性や強度が、容易に適切かつ充分に確保されるようになる。
【００４９】
《第４の効果》
第４に、展開する際の誤操作が防止され、安全性が向上する。すなわち、本発明の請求項３にあっては、床板ロック部材にセーフティーカバーを設けて、拡大部保持用のワイヤ先端のブラケットで、制御するシステムを採用してなる。
そしてブラケットを、拡大部床板に取り付けて初めて、拡大部床板のロックが解除可能となる。そこで、前述したこの種従来例のように、誤操作により、ワイヤを拡大部床板に取り付けずに拡大部床板のロックを解除してしまい、重い拡大部床板が、いきなり外方に落下降下する事故は、確実に防止されるようになる。
拡大部は、所期の通り、ワイヤに吊って保持されつつ、ロック解除により、外下方に向け徐々に展開されるので、事故の危険が防止され、安全性が向上する。
このように、この種従来例に存した課題がすべて解決される等、本発明の発揮する効果は、顕著にして大なるものがある。
【図面の簡単な説明】
【図１】本発明に係るシェルタについて、発明の実施の形態の説明に供し、その１例の斜視図であり、（１）図は、折り畳み収納状態を示し、（２）図は、展開拡張状態を示す。
【図２】同発明の実施の形態の説明に供し、ロックハンドル，ファスナ，受けブロック等を設けた例を示し、（１）図は、展開拡張状態の斜視図、（２）図は、密閉，固定前の要部正面図、（３）図は、密閉，固定後の要部正面図である。
【図３】同発明の実施の形態の説明に供し、ワイヤ等の説明に供する斜視図であり、（１）図は、折り畳み収納状態を示し、（２）図は、展開拡張状態を示す。
【図４】同発明の実施の形態の説明に供し、セーフティーカバー等を設けた例の要部正面図であり、（１）図は、セーフティーカバーのカバー位置、（２）図も、同カバー位置、（３）図は、カバー解除位置を示し、（４）図は、ロック部材のロック位置、（５）図は、ロック解除位置を示す。
【図５】同発明の実施の形態の説明に供し、展開拡張状態の斜視図であり、（１）図は、本体部開口部と拡大部天井板間のヒンジの１例を示し、（２）図は、他の例を示す。
【図６】同発明の実施の形態の説明に供し、シェルタの斜視図であり、（１）図は、折り畳み収納状態を示し、（２）図は、展開途中又は収納途中の状態を示し、（３）図は、展開拡張状態を示す。
【図７】この種従来例のシェルタの説明に供し、（１）図は、斜視図であり、（２）図は、トラックに積み込まれた状態の側面説明図である。
【符号の説明】
６  シェルタ
７  本体部
８  拡大部
９  本体部開口
１０  拡大部天井板
１１  拡大部床板
１２  拡大部端面板
１３  拡大部側面板
１９  脚
２０  ジャッキ
２３  ロックハンドル
２４  ファスナ
２５  受けブロック
２６  ロック受
２７  ハンドル
２８  ピン
２９  係止受
３０  係止具
３１  ピン
３２  セーフティーカバー
３３  ロック受部
３４  床板ロック部材
３７  ワイヤ
３８  ブラケット
４１  係止溝
Ａ  トラック
Ｄ  展開拡張状態
Ｅ  折り畳み収納状態
Ｇ  ロック位置
Ｈ  ロック解除位置
Ｊ  係止位置
Ｋ  係止解除位置
Ｌ  ロック位置
Ｍ  ロック解除位置
Ｎ  カバー位置
Ｐ  カバー解除位置
【図１】
2004231195.tif 000003
【図２】
2004231195.tif 000004
【図３】
2004231195.tif 000005
【図４】
2004231195.tif 000006
【図５】
2004231195.tif 000007
【図６】
2004231195.tif 000008
【図７】
2004231195.tif 000009